(57)【要約】【課題】複数の羽根部材の停止時の絞り開口の安定化を確保し振動の影響を抑止する光量調整装置を提供する。【解決手段】光軸を含む開口を形成する複数の羽根部材と、複数の羽根部材のうちの第１羽根部材群１３Ａを駆動する第１駆動部１４Ａと、複数の羽根部材のうちの第２羽根部材群１３Ｂを駆動する第２駆動部１４Ｂと、第１駆動部及び第２駆動部の駆動開始及び駆動中のタイミングを制御して第１羽根部材群と第２羽根部材群とによって規定される露光開口面積を制御する制御部２０２ａ，１０２ａとを具備し、制御部は、第１羽根部材群と第２羽根部材群の一方を光軸に対して開口が開く方向へ移動させ、他方を光軸に対して開口が狭くなる方向へ移動させることを繰り返すことにより、駆動開始の信号が出力された所定時間以降は、相対的に露光開口面積が一定となるように制御する。【選択図】図４
2019203989.tif 000002
【特許請求の範囲】
【請求項１】
光軸を含む開口を形成する複数の羽根部材と、
上記複数の羽根部材のうちの第１羽根部材群を駆動する第１駆動部と、
上記複数の羽根部材のうちの第２羽根部材群を駆動する第２駆動部と、
上記第１駆動部及び上記第２駆動部の駆動開始及び駆動中のタイミングを制御して、上記第１羽根部材群と上記第２羽根部材群とによって規定される露光開口面積を制御する制御部と、
を具備し、
上記制御部は、上記第１羽根部材群と上記第２羽根部材群の一方を上記光軸に対して開口が開く方向へ移動させ、他方を上記光軸に対して開口が狭くなる方向へ移動させることを繰り返すことにより、上記駆動開始の信号が出力された所定時間後以降は、相対的に上記露光開口面積が一定となるように制御することを特徴とする光量調整装置。
【請求項２】
上記制御部は、上記第１羽根部材群と上記第２羽根部材群とを上記光軸と垂直な同方向へ同時に移動させて、当該第１羽根部材群及び当該第２羽根部材群によって形成される開口の相対的な面積が一定となるように上記第１駆動部及び上記第２駆動部を制御することを特徴とする請求項１に記載の光量調整装置。
【請求項３】
上記第１駆動部は、上記第１羽根部材群を駆動するための第１カム溝が形成された第１回転部材と、上記第１回転部材に回転駆動力を付与する第１モータと、を有して構成され、
上記第２駆動部は、上記第１羽根部材群を駆動するための第２カム溝が形成された第２回転部材と、上記第２回転部材に回転駆動力を付与する第２モータ
と、を有して構成され、
上記第１回転部材と上記第２回転部材とが駆動された際、上記第１カム溝は上記第１羽根部材群を光軸から離れる方向へ移動させ、上記第２カム溝は上記第２羽根部材群を光軸へ近づく方向へ移動させる動作を交互に行わせることを特徴とする請求項１に記載の光量調整装置。
【請求項４】
上記第１カム溝と上記第２カム溝は同じ形状であって、光軸と垂直な面に投影した際の位置が異なっていることを特徴とする請求項３に記載の光量調整装置。
【請求項５】
上記第１カム溝のカム曲線は、一端で上記第１羽根部材群を最大開口径にさせ、他端で上記開口の最小開口径を形成させ、
上記第２カム溝のカム曲線は、一端で上記第２羽根部材群を最小開口径にさせ、他端で上記開口の最大開口径を形成させることを特徴とする請求項４に記載の光量調整装置。
【請求項６】
上記制御部は、上記第１羽根部材群と上記第２羽根部材群とが駆動された際、当該第１羽根部材群と当該第２羽根部材群とが振動によって開口面積が変化しないように当該第１羽根部材群と当該第２羽根部材群のバウンドタイミングを制御して開口が相対的に一定となるように上記第１モータ及び上記第２モータの電流を制御することを特徴とする請求項３に記載の光量調整装置。
【発明の詳細な説明】
【技術分野】
【０００１】
この発明は、駆動モータ等の電動駆動源を用いて複数の羽根部材を駆動させることにより光学系を通過する光量を調整するための光量調整装置に関するものである。
【背景技術】
【０００２】
従来、撮像装置等に設けられ、撮像光学系等を含んで構成されるレンズ鏡筒ユニットでは、光学系を通過する光量を調整するための光量調整装置（いわゆる絞り装置等と呼ばれる構成ユニット）を、光学系の光路上に配置して構成されているものがある。
【０００３】
従来の光量調整装置においては、駆動モータを用いて回転部材（駆動リング）を支持部材（ケース本体）に対して回転させて複数の羽根部材を駆動することにより光束が通過する開口を形成させるように構成されているものがある。
【０００４】
この場合において、複数の羽根部材は、所定の位置から所望の絞り開口を形成する位置（即ち目標とするＡＶ値に対応する所定の位置）に配置されるまでの間、駆動モータによって駆動される。このとき、複数の羽根部材は、所定の範囲を高速で移動した後、急停止されることになる。
【０００５】
このように、高速で移動する複数の羽根部材が、所望の開口を形成する所定の位置にて急停止されると、これら複数の羽根部材は、当該所望の開口位置において所定の時間、振動してしまうことがある。このような振動は、当該複数の羽根部材によって形成される絞り開口の安定化を阻害する一因になる。絞り開口が安定しない状態のまま露光動作を開始してしまうと、ＡＶ値が不安定となり、適正な露出を得られない場合もある。
【０００６】
このことを考慮して、従来の光量調整装置においては、複数の羽根部材の振動が収まるまで、露光の開始を待機するといった制御がなされているものがある。
【０００７】
例えば、特開２００２−９０８０４号公報等によって開示されている光量調整装置は、光軸開口を有する一対の基板の間に中間介在板を設け、この中間介在板の一方の面側に２組以上の羽根部材（シャッター羽根）を配置し、他方の面側に２組以上の羽根部材（絞り羽根）を配置している。そして、１つの駆動部（マグネットロータ）によって二つの羽根部材（シャッター羽根及び絞り羽根）を駆動するように構成されている。そして、この構成において、露光開口面積が物理的に一定（ＡＶ値が一定）となってから露光するような制御がなされている。
【０００８】
また、特開平７−２７０８６０号公報等によって開示されている光量調整装置は、基板と羽根押さえ部材との間に、絞り羽根兼用の第１群シャッタ羽根と絞り羽根兼用の第２群シャッタ羽根とを配置して構成している。そして、駆動リングを時計方向に回動させ、絞りリングを介して第１群シャッタ羽根を適正絞り開口の位置を超えて設定された過剰開き位置まで開いて保持する。その後、駆動リングを反時計方向に回動させて第２群シャッタ羽根を閉じ位置から所定位置まで開かせる途中で、機構的手段で設定した時間差に基づいて第１群シャッタ羽根を適正絞り開口の位置から閉じさせる。そして、開き途上の第２群シャッタ羽根と、閉じ途上にある第１群シャッタ羽根とを、異なるタイミングで駆動することにより、適正絞り開口の位置で交叉させることにより適正ＥＶ値に適合した三角開口波形を得るように構成されている。この構成においても、露光開口面積が物理的に一定（ＡＶ値が一定）となってから露光するような制御がなされている。
【０００９】
一方、従来の光量調整装置において、複数の羽根部材を急停止させた時の絞り開口の安定化を確保するための技術的解決手段として、例えば特開２０１４−２１１４９号公報等の種々の提案がなされている。
【００１０】
上記特開２０１４−２１１４９号公報によって開示されている光量調整装置は、２つの駆動モータを備え、一方の駆動モータを回転させて複数の羽根部材を目標絞り位置に到達させたとき、当該駆動モータを停止させることなく、他方の駆動モータを駆動して複数の羽根部材の当該目標絞り位置を維持するように構成されている。
【００１１】
この構成により、複数の羽根部材が目標絞り位置に到達したとき、複数の羽根部材を急停止させることなく、振動の発生を抑止している。
【先行技術文献】
【特許文献】
【００１２】
【特許文献１】特開２００２−９０８０４号公報
【特許文献２】特開平７−２７０８６０号公報
【特許文献３】特開２０１４−２１１４９号公報
【発明の概要】
【発明が解決しようとする課題】
【００１３】
ところが、上記特開２００２−９０８０４号公報，上記特開平７−２７０８６０号公報等によって開示されている光量調整装置においては、上述したように、露光開口面積が物理的に一定（ＡＶ値が一定）となってから露光を開始するような制御を行っている。そのために、所定の位置に停止した羽根部材の振動が安定するまでの間は露光を開始することができない。したがって、羽根部材に生じた振動が安定するまでの間の時間分だけ露出開始が遅延してしまうという問題点がある。
【００１４】
一方、上記特開２０１４−２１１４９号公報によって開示されている光量調整装置は、駆動モータを急停止させることを避けることで複数の羽根部材が振動することを抑制するという問題点を解決してはいるが、目標とする絞り開口を維持するために２つの駆動モータが回転し続ける構成となっている。
【００１５】
このような構成では、２つの駆動モータ自体から生じる振動と、これら２つの駆動モータによって回転駆動される２つの回転板が回転し続けることによって生じる振動を除去することはできない。このとき、複数の羽根部材自体は停止状態となっているのであるが、駆動モータや回転板の振動が、静止状態にある複数の羽根部材へと伝達されると、これら複数の羽根部材を振動させてしまうという問題点が生じる。
【００１６】
本発明は、上述した点に鑑みてなされたものであって、その目的とするところは、複数の絞り羽根を駆動モータを用いて駆動する光量調整装置において、複数の羽根部材を所望の開口が形成される位置で停止させた時に振動が生じたとしても、羽根の振動が安定する前の段階で露出を開始することのできる構造を備えた光量調整装置を提供することである。
【課題を解決するための手段】
【００１７】
上記目的を達成するために、本発明の一態様の光量調整装置は、光軸を含む開口を形成する複数の羽根部材と、上記複数の羽根部材のうちの第１羽根部材群を駆動する第１駆動部と、上記複数の羽根部材のうちの第２羽根部材群を駆動する第２駆動部と、上記第１駆動部及び上記第２駆動部の駆動開始及び駆動中のタイミングを制御して、上記第１羽根部材群と上記第２羽根部材群とによって規定される露光開口面積を制御する制御部と、を具備し、上記制御部は、上記第１羽根部材群と上記第２羽根部材群の一方を上記光軸に対して開口が開く方向へ移動させ、他方を上記光軸に対して開口が狭くなる方向へ移動させることを繰り返すことにより、上記駆動開始の信号が出力された所定時間後以降は、相対的に上記露光開口面積が一定となるように制御する。
【発明の効果】
【００１８】
本発明によれば、複数の絞り羽根を駆動モータを用いて駆動する光量調整装置において、羽根の振動が安定する前の段階で露出を開始することのできる構造を備えた光量調整装置を提供することができる。
【図面の簡単な説明】
【００１９】
【図１】本発明の一実施形態の光量調整装置を適用したレンズ鏡筒ユニットと、このレンズ鏡筒ユニットを装着した撮像装置の概略構成を示す概念図
【図２】本発明の一実施形態の光量調整装置の外観斜視図
【図３】図２の光量調整装置を矢印符号［３］方向から見た際の平面図
【図４】図２の光量調整装置の分解斜視図
【図５】図２の光量調整装置の側面図
【図６】図３の［６］−［６］線に沿う断面図
【図７】図３の［７］−［７］線に沿う断面図
【図８】図２の光量調整装置における第１回転部材（第１羽根駆動リング）の平面図
【図９】図２の光量調整装置における第２回転部材（第２羽根駆動リング）の平面図
【図１０】図２の光量調整装置における複数の羽根部材の配置を示す図（開放状態）
【図１１】本発明の一実施形態の光量調整装置を駆動させた場合に生じる振動を示すグラフ
【発明を実施するための形態】
【００２０】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２１】
以下に説明する一実施形態は、例えば撮像装置等に設けられ、撮像光学系等を含んで構成されるレンズ鏡筒ユニットに適用される光量調整装置を例示するものである。即ち、本実施形態は、具体的には、例えばスチルカメラやビデオカメラ等の撮像装置に取り付けられるレンズ鏡筒ユニットに適用される光量調整装置を例示している。
【００２２】
本実施形態においては、撮像装置本体に対してレンズ鏡筒ユニットが着脱自在に構成される形態のいわゆるレンズ交換式撮像装置における交換式レンズ鏡筒ユニットに適用される光量調整装置として例示している。
【００２３】
しかしながら、本発明の光量調整装置を適用し得るレンズ鏡筒ユニットの形態は、交換式レンズ鏡筒ユニットに限られることはない。例えば、撮像装置本体に対してレンズ鏡筒ユニットが一体に固定されて構成される形態のいわゆるレンズ一体式撮像装置におけるレンズ鏡筒ユニットに対しても同様に適用することができる。
【００２４】
なお、本実施形態の説明においては、光学系の光軸を符号Ｏで表すものとする。そして、光軸Ｏに沿う方向において、光束が入射してくる側の面を当該光量調整装置の前面というものとし、当該前面に対向する面であって光束が出射する側の面を当該光量調整装置の背面というものとする。
【００２５】
［一実施形態］
本発明の一実施形態の光量調整装置の詳細構成を説明する前に、まず、当該光量調整装置が適用されるレンズ鏡筒ユニット及びこのレンズ鏡筒ユニットを装着した撮像装置の概略構成を簡単に説明する。
【００２６】
図１は、本発明の一実施形態の光量調整装置を適用したレンズ鏡筒ユニットと、このレンズ鏡筒ユニットを装着した撮像装置の概略構成を示す概念図である。
【００２７】
本発明の一実施形態の光量調整装置１を適用したレンズ鏡筒ユニット１００は、図１に示すように、撮像装置２００の前面に着脱自在に配設されている。即ち、図１によって例示する撮像装置２００は、交換式のレンズ鏡筒ユニット１００を着脱自在に構成されるレンズ交換式撮像装置である。
【００２８】
撮像装置２００は、ボディ２０１と、メイン基板２０２と、撮像基板２０３と、背面表示装置２０４と、電子ビューファインダ２０５等を有して構成されている。
【００２９】
ボディ２０１は、当該撮像装置２００を構成する各種の構成ユニットを内部に収納するための箱体である。
【００３０】
メイン基板２０２は、撮像装置２００全体を統括的に制御する制御部である制御回路等を構成する複数の電気部品を実装した電子回路基板である。メイン基板２０２に実装される制御回路は、例えばＣＰＵ（Central Processing Unit；中央処理装置）２０２ａ等を用いたプロセッサ（processor；処理装置）等によって構成されている。
【００３１】
また、上記制御回路はＣＰＵ２０２ａに変えて、例えばＡＳＩＣ（Application Specific Integrated Circuit；特定用途向け集積回路）等を含む制御回路によって構成してもよい。
【００３２】
そして、ＣＰＵ２０２ａは、メモリ（不図示）に記憶されたプログラムにしたがって動作することにより、撮像素子２０３ａ（後述する），背面表示装置２０４，電子ビューファインダ２０５等を初めとして、当該撮像装置２００の各構成ユニットを制御する。
【００３３】
そのために、メイン基板２０２（ＣＰＵ２０２ａ）は、撮像基板２０３（撮像素子２０３ａ），背面表示装置２０４，電子ビューファインダ２０５等との間で信号線２０２ｂ等を用いて電気的に接続されている。
【００３４】
さらに、上記信号線２０２ｂは、後述するマウント部１１０に設けられる複数の電気接点（不図示）に電気的に接続されている。したがって、これにより、信号線２０２ｂは、撮像装置２００側のメイン基板２０２（ＣＰＵ２０２ａ）と、後述するレンズ鏡筒ユニット１００側のレンズ基板１０２（ＣＰＵ１０２ａ）との間での電気的な指示信号を伝達する機能を有している。
【００３５】
撮像基板２０３は、ＣＭＯＳイメージセンサ（CMOS image sensor）等の光電変換素子である撮像素子２０３ａと、この撮像素子２０３ａを駆動する撮像素子駆動回路等の電気回路を構成する複数の電気部品を実装した電子回路基板である。撮像素子２０３ａ及びその駆動回路等は、ＣＰＵ２０２ａによって制御される。
【００３６】
背面表示装置２０４及び電子ビューファインダ２０５は、撮像素子２０３ａによって取得された画像データや記録部（不図示）に記録済みの画像データ等に基く画像を各種の形態で表示したり、設定用のメニュー表示等を行うための表示パネルと、この表示パネルを駆動するパネル駆動回路等を有する構成ユニットである。
【００３７】
背面表示装置２０４及び電子ビューファインダ２０５は、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等が適用される。
【００３８】
なお、背面表示装置２０４と電子ビューファインダ２０５とは、ほぼ同じ機能を有する構成ユニットである。したがって、撮像装置２００の使用時には、いずれか一方を選択して使用され、適宜切り換えて使用することができるように構成されている。
【００３９】
そして、背面表示装置２０４及び電子ビューファインダ２０５は、ＣＰＵ２０２ａによって制御される。
【００４０】
なお、撮像装置２００のボディ２０１内には、上述した構成ユニット以外にも、その他各種のさまざまな構成ユニットが配設されている。しかしながら、上述した構成ユニット以外の構成物は本発明に直接関連しない構成である。したがって、上述した構成ユニット以外については、従来の一般的な構成の撮像装置において利用されているものと同様の構成を有するものとして、図示及び説明を省略する。
【００４１】
上述のように構成された撮像装置２００の前面には、レンズ鏡筒ユニット１００が着脱自在に配設されている。そのために、撮像装置２００の前面及びレンズ鏡筒ユニット１００の後面には、両者（２００，１００）の機械的な接続及び電気的な接続を実現する構成を備えたマウント部１１０が設けられている。
【００４２】
このマウント部１１０は、従来のレンズ交換式撮像装置及びこの撮像装置に装着される交換式レンズ鏡筒ユニットにおいて一般的に適用される形態のもの（例えば電気接点付きのバヨネット式マウント等）が適用されているものとする。したがって、その詳細構成の説明は省略する。
【００４３】
レンズ鏡筒ユニット１００は、レンズ鏡筒本体１０１と、レンズ基板１０２と、複数の光学レンズ１０３と、光量調整装置１等を有して構成されている。
【００４４】
レンズ鏡筒本体１０１は、当該レンズ鏡筒ユニット１００を構成する各種の構成ユニットを内部に収納するための筒体である。
【００４５】
レンズ基板１０２は、レンズ鏡筒ユニット１００全体を統括的に制御する制御部である制御回路等を構成する複数の電気部品を実装した電子回路基板である。レンズ基板１０２に実装される制御回路は、例えばＣＰＵ（Central Processing Unit；中央処理装置）１０２ａ等を用いたプロセッサ（processor；処理装置）等によって構成されている。
【００４６】
また、制御回路はＣＰＵ１０２ａに変えて、例えばＡＳＩＣ（Application Specific Integrated Circuit；特定用途向け集積回路）等を含む制御回路によって構成してもよい。
【００４７】
なお、レンズ基板１０２（のＣＰＵ１０２ａ）は単独で動作すると共に、撮像装置２００側のメイン基板２０２（のＣＰＵ２０２ａ）と協働して、各種の制御動作を実行する。また、これとは別に、レンズ基板１０２（のＣＰＵ１０２ａ）を設けることなく、全ての制御を、撮像装置２００側のメイン基板２０２（のＣＰＵ２０２ａ）によって行う構成としてもよい。
【００４８】
複数の光学レンズ１０３は、被写体からの光束を集光して光学的な被写体像を形成し、その光学像を、撮像素子２０３ａの撮像面上に結像させるための撮像光学系である。
【００４９】
これら複数の光学レンズ１０３の一部のレンズは、例えば焦点調節動作や変倍動作のために、光軸Ｏに沿う方向に進退自在に構成されている（詳細構成は不図示）。そのために、図示を省略しているが、本レンズ鏡筒ユニット１００は、複数の光学レンズ１０３の一部のレンズを、例えばＣＰＵ１０２ａ、２０２ａの制御下において適宜駆動させるための駆動機構等を備えている。
【００５０】
光量調整装置１は、後述するように、駆動モータ等の電動駆動源を用いて複数の羽根部材を駆動させることにより、複数の光学レンズ１０３を通過する光量を調整するための構成ユニットである。この光量調整装置１は、ＣＰＵ１０２ａ，２０２ａによって制御される。
【００５１】
そのために、レンズ基板１０２（ＣＰＵ１０２ａ）は、光量調整装置１等の構成ユニットとの間で信号線１０２ｂを用いて電気的に接続されている。そして、この信号線１０２ｂは、マウント部１１０に設けられる複数の電気接点（不図示）に電気的に接続されている。したがって、これにより、信号線１０２ｂは、レンズ鏡筒ユニット１００側のレンズ基板１０２（ＣＰＵ１０２ａ）と、撮像装置２００側のメイン基板２０２（ＣＰＵ２０２ａ）との間での電気的な指示信号を伝達する機能を有している。
【００５２】
なお、レンズ鏡筒ユニット１００のレンズ鏡筒本体１０１内には、上述した構成ユニット以外にも、その他各種のさまざまな構成ユニットが配設されている。しかしながら、上述した構成ユニット以外の構成物は本発明に直接関連しない構成である。したがって、上述した構成ユニット以外については、従来の一般的な構成のレンズ鏡筒ユニットにおいて利用されているものと同様の構成を有するものとして、図示及び説明を省略する。
【００５３】
次に、本実施形態の光量調整装置１の詳細な構成を、以下に説明する。
【００５４】
図２〜図１０は、本発明の一実施形態の光量調整装置を示す図である。このうち、図２は、本発明の一実施形態の光量調整装置の外観斜視図である。図３は、図２の光量調整装置を矢印符号［３］方向から見た際の平面図である。図４は、図２の光量調整装置の分解斜視図である。図５は、図２の光量調整装置の側面図である。図６は、図３の［６］−［６］線に沿う断面図である。図７は、図３の［７］−［７］線に沿う断面図である。図８は、図２の光量調整装置における第１回転部材（第１羽根駆動リング）の平面図である。図９は、図２の光量調整装置における第２回転部材（第２羽根駆動リング）の平面図である。なお、図８，図９は、各回転部材（羽根駆動リング）においてカム溝が形成されている面（カム溝形成面）を示している。図１０は、図２の光量調整装置における複数の羽根部材の配置を示す図である。なお、図１０は、複数の羽根部材によって形成される絞り開口の開放状態を示している。
【００５５】
本実施形態の光量調整装置１は、全体として略円形状に形成され、その中心位置に略円形状の開口１０を有して構成される構成ユニットである。この光量調整装置１は、レンズ鏡筒ユニット１００の複数の光学レンズ１０３の光軸上において、光軸Ｏと開口１０の中心が略一致するように配置されている。
【００５６】
そして、本実施形態の光量調整装置１は、略同様に構成されかつ略同様に作用する２つの構成ユニット（第１ユニット１Ａ，第２ユニット１Ｂ）を組み合わせて構成されている。
【００５７】
ここで、第１ユニット１Ａは、第１ケース本体１２Ａ（第１羽根支持部材）と、第１羽根群１３Ａ（第１羽根部材群）と、第１羽根駆動リング１４Ａ（第１回転部材）と、駆動モータ１６と、付勢バネ１８と、位置検出センサー２０等を具備して構成されている。
【００５８】
また、第２ユニット１Ｂは、第２ケース本体１２Ｂ（第２羽根支持部材）と、第２羽根群１３Ｂ（第２羽根部材群）と、第２羽根駆動リング１４Ｂ（第２回転部材）と、駆動モータ１６と、付勢バネ１８と、位置検出センサー２０等を具備して構成されている。
【００５９】
第１ユニット１Ａと第２ユニット１Ｂとは、上述したように、略同様に構成されている。したがって、以下の説明では、基本的に第１ユニット１Ａの構成のみを取り上げて詳述するものとし、第２ユニット１Ｂについての説明は、第１ユニット１Ａと異なる場合にのみ適宜説明するものとする。
【００６０】
この場合において、図面には、第１ユニット１Ａの一部の詳細構成が図示されていない部分があるが、その不図示の部分と同様の構成を持つ部分が第２ユニット１Ｂに含まれる構成部分として図示されている場合がある。その場合には、第１ユニット１Ａの構成を説明していても、図面上では第２ユニット１Ｂの同じ構成部分を参照するものとする。
【００６１】
そのために、第１ユニット１Ａと第２ユニット１Ｂとにおいて、同様の構成部材には同じ数次符号を付すと共に、第１ユニット１Ａに含まれる構成には「数字＋符号Ａ」を付し、第２ユニット１Ｂには「数字＋符号Ｂ」を付すものとする。また、第１ユニット１Ａと第２ユニット１Ｂとで、全く同じ構成及び機能を有する部材については同じ符号を付すものとする。
【００６２】
なお、本実施形態の光量調整装置１においては、目標とする所望の絞り開口を形成するために設けられる複数の羽根部材は、全部で８枚の羽根部材によって構成される例を示している。そして、本実施形態の光量調整装置１においては、これら８枚の羽根部材について４枚ずつ２つのグループに分けて構成している。
【００６３】
この場合において、一方のグループ（第１羽根群１３Ａ）を第１ユニット１Ａに対応する第１羽根部材群として構成している。つまり、この第１羽根群１３Ａは第１ユニット１Ａによって駆動される第１羽根部材群である。同様に、他方のグループ（第２羽根群１３Ｂ）は第２ユニット１Ｂに対応する第２羽根部材群として構成している。そして、この第２羽根群１３Ｂは第２ユニット１Ｂによって駆動される第２羽根部材群である。
【００６４】
つまり、本実施形態の光量調整装置１においては、複数の羽根部材（８枚の羽根部材）によって構成される絞り羽根ユニットにより、一つの絞り開口が形成される。このような基本構造においては、従来一般の光量調整装置と同様の構成である。
【００６５】
しかしながら、本実施形態の構成においては、複数の羽根部材（８枚の羽根部材）を２つのグループ（羽根群）に分けて、それぞれのグループ（羽根群）をそれぞれ別個に駆動制御する機構を有するように構成している点に特徴がある。以下、本実施形態の光量調整装置１の構成を詳述する。
【００６６】
第１ユニット１Ａにおける第１ケース本体１２Ａ（第１羽根支持部材）は、光量調整装置１の第１ユニット１Ａにおける基本構成部材である。この第１ケース本体１２Ａは、中心部位に略円形状の開口１２ａを有し、全体として略円環形状に形成されている。
【００６７】
第１ケース本体１２Ａは、図４等に示すように、開口１２ａを有する円環状平面部１２ｂと、この円環状平面部１２ｂの外周縁を取り囲むように形成される外壁部１２ｃとを有して形成されている。この場合において、円環状平面部１２ｂに対向する面は開口している。そして、上記円環状平面部１２ｂに対向する面の開口は、図２等に示すように、第２ユニット１Ｂによって覆われている。この場合において、第２ケース本体１２Ｂについても、同様に、円環状平面部１２ｂに対向する面の開口は、第１ユニット１Ａによって覆われている。
【００６８】
このような構成によって、第１ケース本体１２Ａは、円環状平面部１２ｂと外壁部１２ｃと第２ユニット１Ｂとによって所定の内容積を有する内部空間部を備えて構成されている。
【００６９】
そして、この内部空間部には、複数の羽根部材のうちの第１羽根群１３Ａを駆動するための第１羽根駆動リング１４Ａが光軸Ｏ周りに回動自在に配設されている（詳細は後述する）。
【００７０】
第１ケース本体１２Ａの円環状平面部１２ｂには、貫通溝部１２ｅが形成されている。この貫通溝部１２ｅは、円環状平面部１２ｂの周方向に向けて所定の範囲の円弧状に形成される貫通溝である。この貫通溝部１２ｅには、上記内部空間部の所定の位置に第１羽根駆動リング１４Ａが配設された時に、当該第１羽根駆動リング１４Ａのセクタギアー１４ｄ及び遮光羽根部１４ｅ（いずれも後述する）が配置される。そして、貫通溝部１２ｅは、第１羽根駆動リング１４Ａが回転するのに従って移動するセクタギアー１４ｄ及び遮光羽根部１４ｅの移動を許容し得るように形成されている。
【００７１】
さらに、第１ケース本体１２Ａには、複数の羽根部材のうちの第１羽根群１３Ａに含まれる羽根部材（の支持孔１３ｃ）のそれぞれを回転自在に軸支するための複数の支軸１２ｄが形成されている。これら複数の支軸１２ｄは、外壁部１２ｃの前面から光軸Ｏと平行な方向に突出するように外方に向けて形成されている。そして、複数の支軸１２ｄは、第１ケース本体１２Ａの外壁部１２ｃ上において周方向に略等間隔に並べて配置されている。
【００７２】
なお、複数の支軸１２ｄは、第１羽根群１３Ａの羽根部材の枚数と同数だけ形成されている。本実施形態においては、上述したように、複数の羽根部材として全部で８枚の羽根部材を設けた構成例を示しており、このうち第１羽根群１３Ａは４枚の羽根部材で構成されているものとしている。したがって、本実施形態においては、第１ケース本体１２Ａに設けられる複数の支軸１２ｄは４本設けられていればよい。
【００７３】
ただし、図４では、第１ケース本体１２Ａに支軸１２ｄを８本設けた構成を図示している。このような構成とすることにより、第１ケース本体１２Ａと第２ケース本体１２Ｂとを同一形状の部品として共通化することができる。この構成とした場合に、第１ケース本体１２Ａで実際に使用される支軸１２ｄは４本のみである。
【００７４】
このように、第１ケース本体１２Ａは、少なくとも第１羽根群１３Ａの羽根部材のそれぞれを回転自在に軸支する複数の支軸１２ｄを有している。これにより、第１ケース本体１２Ａは、第１羽根群１３Ａの各羽根部材を回転自在に支持する羽根支持部材として機能している。
【００７５】
第１ケース本体１２Ａの円環状平面部１２ｂの外面には、駆動モータ１６と位置検出センサー２０とが配設されている。また、第２ケース本体１２Ｂの円環状平面部１２ｂの外面にも、全く同様に駆動モータ１６と位置検出センサー２０とが配設されている。したがって、本実施形態の光量調整装置１においては、２つの駆動モータ１６と、２つの位置検出センサーが配設されている。
【００７６】
これら２つの駆動モータ１６は、第１羽根駆動リング１４Ａと第２羽根駆動リング１４Ｂとのそれぞれを所定のタイミングで所定の回転方向へ所定量だけ回転駆動させることで、第１羽根群１３Ａ及び第２羽根群１３Ｂの複数の羽根部材を、光軸Ｏに直交する面内で回転させて、所望の絞り開口を形成させるための電動アクチュエータであり電動駆動源である。駆動モータ１６としては、例えばステッピングモータ等が適用されている。
【００７７】
なお、第１羽根駆動リング１４Ａに回転駆動力を付与する電動駆動源である駆動モータ１６は第１電動駆動源である。また、第２羽根駆動リング１４Ｂに回転駆動力を付与する電動駆動源である駆動モータは第２電動駆動源である。そして、第１羽根駆動リング１４Ａ（第１回転部材）と第１電動駆動源（第１モータ；駆動モータ１６）とは、複数の羽根部材のうち第１羽根群１３Ａ（第１羽根部材群）を駆動する第１駆動部を構成している。また同様に、第２羽根駆動リング１４Ｂ（第２回転部材）と第２電動駆動源（第２モータ；駆動モータ１６）とは、複数の羽根部材のうち第２羽根群１３Ｂ（第２羽根部材群）を駆動する第２駆動部を構成している。
【００７８】
ここで、第１電動駆動源及び第２電動駆動源は、それぞれが同様の構成からなり同様の機能を有する駆動モータ１６が相当する。したがって、以下の説明においては、第１電動駆動源と第２電動駆動源との名称を用いず、単に「駆動モータ１６」と呼称している。
【００７９】
このように、２つの駆動モータ１６が、制御部（ＣＰＵ１０２ａ，２０２ａ等）によって駆動制御されて、第１羽根駆動リング１４Ａと第２羽根駆動リング１４Ｂとをそれぞれ別個に駆動する。これにより、第１羽根群１３Ａと第２羽根群１３Ｂとの複数の羽根部材は、光量調整装置１の開口１０に対して光軸Ｏに直交する面内で進退する。これにより、光量調整装置１の開口１０の口径（以下、開口径又は露光開口面積という）が変化する。したがって、これにより、開口１０を光軸Ｏに沿って通過する光量を調整することができるように構成されている。
【００８０】
なお、２つの駆動モータ１６は、当該光量調整装置１が適用されるレンズ鏡筒ユニット１００若しくは撮像装置２００（図１参照）に設けられるＣＰＵ１０２ａ，２０２ａ等によって駆動制御される。
【００８１】
換言すると、制御部（ＣＰＵ１０２ａ，２０２ａ等）は、第１駆動部（第１電動駆動源（駆動モータ１６），第１羽根駆動リング１４Ａ）及び第２駆動部（第２電動駆動源（駆動モータ），第２羽根駆動リング１４Ｂ）の駆動開始及び駆動中のタイミングを制御して、第１羽根群１３Ａ（第１羽根部材群）と第２羽根群１３Ｂ（第２羽根部材群）とによって規定される開口径（露光開口面積）を制御する。なお、この場合における制御部による駆動制御の詳細は後述する。
【００８２】
各駆動モータ１６は回転する駆動軸を有している。この駆動軸の先端にはピニオンギアー１６ａ（図４参照）がそれぞれ固定されている。そして、２つの駆動モータ１６は、一方は第１ケース本体１２Ａの円環状平面部１２ｂの外面に対して、他方は第２ケース本体１２Ｂの円環状平面部１２ｂの外面に対して、それぞれ２本のビス１７を用いて各貫通溝部１２ｅの近傍に固定されている。
【００８３】
このように各駆動モータ１６が第１ケース本体１２Ａ及び第２ケース本体１２Ｂのそれぞれに対して所定の位置に固定された時に、各駆動モータ１６の回転軸及びピニオンギアー１６ａは、第１ケース本体１２Ａ及び第２ケース本体１２Ｂのそれぞれの貫通溝部１２ｅの内部に配置される。
【００８４】
なお、各ピニオンギアー１６ａは、第１羽根駆動リング１４Ａ及び第２羽根駆動リング１４Ｂの各セクタギアー１４ｄ（後述）に噛合している。このような構成によって、２つの駆動モータ１６の回転駆動力は、駆動軸，ピニオンギアー１６ａ，セクタギアー１４ｄを用いて第１羽根駆動リング１４Ａ及び第２羽根駆動リング１４Ｂへとそれぞれ伝達される。そして、第１羽根駆動リング１４Ａ及び第２羽根駆動リング１４Ｂは、各駆動モータ１６の回転駆動力を受けて光軸Ｏ周りの所定の方向（正逆いずれかの方向）に所定のタイミングで所定量だけ回転駆動する。
【００８５】
詳細は後述するが、この場合において、各駆動モータ１６の駆動タイミングは、時間的にずれを生じさせる制御がなされる。これにより、第１羽根駆動リング１４Ａ（第１羽根群１３Ａ）の駆動タイミングと、第２羽根駆動リング１４Ｂ（第２羽根群１３Ｂ）の駆動タイミングとの間に、所定のずれが生じる。
【００８６】
２つの位置検出センサー２０は、第１羽根駆動リング１４Ａと第２羽根駆動リング１４Ｂのそれぞれの回転位置を検出するための電気部材である。位置検出センサー２０は、例えばフォトインタラプタ (Photointerrupter) 等が適用される。
【００８７】
２つの位置検出センサー２０は、一方は第１ケース本体１２Ａの円環状平面部１２ｂの外面に対して、他方は第２ケース本体１２Ｂの円環状平面部１２ｂの外面に対して、それぞれ取付板２１及びビス２２を用いて各貫通溝部１２ｅの近傍に固定されている。
【００８８】
このように２つの位置検出センサー２０が、第１ケース本体１２Ａ及び第２ケース本体１２Ｂのそれぞれに対して各所定の位置に固定された時、各位置検出センサー２０に対しては、各貫通溝部１２ｅに配置されているそれぞれの遮光羽根部１４ｅが作用するように構成されている。
【００８９】
つまり、第１羽根駆動リング１４Ａ及び第２羽根駆動リング１４Ｂのそれぞれの回転に伴って各遮光羽根部１４ｅが移動する。そして、各遮光羽根部１４ｅが２つの位置検出センサー２０のそれぞれの送受光部の間を通過すると、そのたびに、各位置検出センサー２０は、第１羽根駆動リング１４Ａと第２羽根駆動リング１４Ｂのそれぞれの回転位置を検出する。
【００９０】
さらにまた、第１ケース本体１２Ａ及び第２ケース本体１２Ｂの円環状平面部１２ｂには、図２，図３等に示すように、バネ係止部１２ｆと、貫通溝部１２ｇとが形成されている。
【００９１】
バネ係止部１２ｆは、後述する付勢バネ１８の一端を係止する部位である。このバネ係止部１２ｆは、光軸Ｏと平行方向に向けて突出するように形成された軸状部を有して形成されている。この軸状部の先端形状は、軸状部に係止された付勢バネ１８の一端が容易に脱落しないような形状（例えば略フック形状若しくは軸状部の軸径よりも大径の頭部形状等を有する形状）に形成されている。
【００９２】
貫通溝部１２ｇは、円環状平面部１２ｂにおいて、周方向に向けて所定の範囲の円弧状に形成される貫通溝である。この貫通溝部１２ｇは、第１羽根駆動リング１４Ａが第１ケース本体１２Ａの内部空間部の所定の位置に配設された時に、当該第１羽根駆動リング１４Ａのバネ係止部１４ｆ（後述する）が貫通して、当該バネ係止部１４ｆを第１ケース本体１２Ａの外面側に突出させると共に、バネ係止部１４ｆが第１羽根駆動リング１４Ａの回転に従って移動する際の移動を許容するように形成されている。
【００９３】
ここで、付勢バネ１８は、第１ケース本体１２Ａに対して第１羽根駆動リング１４Ａを光軸Ｏ周りの一方向に回転付勢するために設けられている。これにより、付勢バネ１８は、第１羽根駆動リング１４Ａに対し所定の方向の回転付勢力を付与し、複数の羽根部材のうちの第１羽根群１３Ａを光軸Ｏに平行な回転軸（複数の支軸１２ｄ）周りにおける一方向へと回転させるように付勢している。なお、第２ユニット１Ｂにおいて、付勢バネ１８が第２ケース本体１２Ｂに対して第２羽根駆動リング１４Ｂを付勢する構成は、全く同様である。
【００９４】
付勢バネ１８の形態としては、本実施形態においては、例えば緊縮性のコイルバネ等を適用した例を示している。この付勢バネ１８の一端は、第１ケース本体１２Ａのバネ係止部１２ｆに係止され、付勢バネ１８の他端は第１羽根駆動リング１４Ａのバネ係止部１４ｆに係止されている。
【００９５】
このバネ係止部１４ｆは、第１羽根駆動リング１４Ａの外面から外方に向けて突出する軸状部を有して形成されている。この軸状部の先端形状は、上述のバネ係止部１２ｆと同様に、当該軸状部に係止された付勢バネ１８の他端が容易に脱落しないような形状（例えば略フック形状等）に形成されている。
【００９６】
このような構成により、第１羽根駆動リング１４Ａは、付勢バネ１８の付勢力によって第１ケース本体１２Ａに対して常に光軸Ｏ周りにおいて一方の回転方向に付勢されている。第２羽根駆動リング１４Ｂも、同様構成により、もう１本の付勢バネ１８の付勢力によって第２ケース本体１２Ｂに対して常に光軸Ｏ周りにおいて一方の回転方向に付勢されている。
【００９７】
本実施形態においては、付勢バネ１８による第１羽根駆動リング１４Ａ及び第２羽根駆動リング１４Ｂの回転方向は、例えば第１羽根駆動リング１４Ａは羽根の閉じ方向，第２羽根駆動リング１４Ｂは羽根の開く方向にそれぞれ回転することによって複数の羽根部材（１３Ａ，１３Ｂ）によって形成される開口（絞り開口）の口径を制御している。
【００９８】
なお、この構成例とは別に、付勢バネ１８による第１羽根駆動リング１４Ａ及び第２羽根駆動リング１４Ｂの各付勢方向を、複数の羽根部材（１３Ａ，１３Ｂ）によって形成される絞り開口の口径を開放状態とする方向（開き方向という）としてもよい。
【００９９】
次に、第１羽根駆動リング１４Ａは、駆動モータ１６の駆動力を受けて第１ケース本体１２Ａに対して光軸Ｏ周りに回転することで複数の羽根部材のうちの第１羽根群１３Ａを駆動させる構成部材である。
【０１００】
なお、第２羽根駆動リング１４Ｂは、第１羽根駆動リング１４Ａと同様構成である。したがって、以下の説明において、特に言及しない限り、第２羽根駆動リング１４Ｂの構成は、符号を置き換えて考慮するものとし、その詳細説明は省略する。
【０１０１】
第１羽根駆動リング１４Ａは、全体が第１ケース本体１２Ａよりもやや小径の略円環形状に形成されており、その略中心部位に略円形状の開口１４ａを有し、この開口１４ａの外周側の所定の領域に円環形状平面部１４ｇを有している。この開口１４ａの中心軸は、第１ケース本体１２Ａの開口１２ａの中心軸（光軸Ｏ）と略一致するように配置されている。
【０１０２】
そして、第１羽根駆動リング１４Ａは、第１ケース本体１２Ａの内部空間部において、第１ケース本体１２Ａに対して光軸Ｏ周りに所定の範囲内で正逆回転自在に配設されている。つまり、第１羽根駆動リング１４Ａは、光量調整装置１の開口１０の中心（光軸Ｏ）周りに回転自在に設けられている。
【０１０３】
そのために、第１羽根駆動リング１４Ａの円環形状平面部１４ｇの外面には、セクタギアー１４ｄと、遮光羽根部１４ｅが形成されている。
【０１０４】
ここで、セクタギアー１４ｄは、駆動モータ１６のピニオンギアー１６ａが噛合して、当該駆動モータ１６の回転駆動力を第１羽根駆動リング１４Ａへと伝達して、当該第１羽根駆動リング１４Ａを光軸Ｏ周りに回転させるための構成部位である。
【０１０５】
また、遮光羽根部１４ｅは、第１羽根駆動リング１４Ａが回転する際に、位置検出センサー２０に作用する構成部位である。
【０１０６】
第１羽根駆動リング１４Ａは、円環形状平面部１４ｇの内面に、所定の形状のカム曲線を備えた複数のカム溝１４ｂ（第１カム溝）が形成されている。なお、第１羽根駆動リング１４Ａにおいて、複数のカム溝１４ｂが形成されている面、即ち円環形状平面部１４ｇの内面を、カム溝形成面というものとする。ここで、例えばカム溝１４ｂ（第１カム溝）のカム曲線は、一端で第１羽根群１３Ａ（第１羽根部材群）を最大開口径にさせ、他端で開口の最小開口径を形成させる。
【０１０７】
この複数のカム溝１４ｂは、複数の羽根部材のうちの対応する羽根部材（第１羽根群１３Ａの羽根部材）の各被駆動ピン１３ｂが係合して、当該羽根部材を回動させる機能を有する。即ち、第１羽根駆動リング１４Ａの４本のカム溝１４ｂは、第１羽根群１３Ａの４枚の羽根部材のそれぞれを駆動する。また同様に、第２羽根駆動リング１４Ｂの４本のカム溝１４ｂ（第２カム溝）は、第２羽根群１３Ｂの４枚の羽根部材のそれぞれを駆動する。ここで、例えばカム溝１４ｂ（第２カム溝）のカム曲線は、カム溝１４ｂ（第１カム溝）のカム曲線と同様の構成を有する。なお、これとは別の形態として、カム溝１４ｂ（第２カム溝）のカム曲線は、一端で第２羽根群１３Ｂ（第２羽根部材群）を最小開口径に形成させ、他端で開口の最大開口径を形成させるように構成してもよい。
【０１０８】
これら複数のカム溝１４ｂは、第１羽根駆動リング１４Ａの円環形状平面部１４ｇの同一円周上において周方向に並べて略等間隔に配置されている（図８参照）。
【０１０９】
本実施形態においては、上述したように、複数の羽根部材として８枚の羽根部材を設けた構成例を示している。そして、第１羽根群１３Ａと第２羽根群１３Ｂとは、それぞれが各４枚の羽根部材で構成されているものとしている。したがって、第１羽根駆動リング１４Ａと第２羽根駆動リング１４Ｂとは、それぞれが４本のカム溝１４ｂ（第１カム溝，第２カム溝）を有して構成されている。
【０１１０】
このように、光量調整装置１において、複数のカム溝１４ｂの総数は、複数の羽根部材の総数（８枚）と同じ数（８本）だけ設けられている。
【０１１１】
ここで、第１羽根群１３Ａと第２羽根群１３Ｂとからなる複数の羽根部材の構成を詳述する。
【０１１２】
複数の羽根部材のそれぞれは、光量調整装置１の開口１０の外周領域において、図１０に示すように、一部が互いに重ね合わせた形態で円周に沿って配置されている。これにより、複数の羽根部材は、略円形状の絞り開口１３ａを形成している。
【０１１３】
各羽根部材のそれぞれは、第１羽根駆動リング１４Ａ及び第２羽根駆動リング１４Ｂからの駆動力を受けて、開口１０に対して光軸Ｏに直交する面内で進退する。これにより、絞り開口１３ａの口径を変化させるように構成されている。そして、これにより、複数の羽根部材は、開口１０を通過する光量の調整を行う。
【０１１４】
複数の羽根部材のそれぞれは、例えば薄板状シート部材等によって形成されている。各羽根部材は、例えば略三日月状 (lunate) に形成されている。また、各羽根部材の基端部近傍には、被駆動ピン１３ｂと、支持孔１３ｃとが形成されている。
【０１１５】
被駆動ピン１３ｂは、第１羽根駆動リング１４Ａ，第２羽根駆動リング１４Ｂのカム溝１４ｂに係合して、両羽根駆動リング１４Ａ，１４Ｂが回転するのに伴って各羽根部材を駆動させるための軸部材である。
【０１１６】
各被駆動ピン１３ｂは、各羽根部材の表面から外方に向けて光軸Ｏと平行方向に突出して形成される軸部材である。これら各被駆動ピン１３ｂは、第１羽根駆動リング１４Ａ，第２羽根駆動リング１４Ｂの対応するカム溝１４ｂに係合する。
【０１１７】
この場合において、第１羽根駆動リング１４Ａのカム溝１４ｂに係合する各被駆動ピン１３ｂは、第１羽根群１３Ａの各羽根部材の前面から前方に向けて突出するように形成されている。また同様に、第２羽根駆動リング１４Ｂのカム溝１４ｂに係合する各被駆動ピン１３ｂは、第２羽根群１３Ｂの各羽根部材の背面から後方に向けて突出するように形成されている。
【０１１８】
なお、被駆動ピン１３ｂは、各羽根部材の両表面から前方及び後方の両方向に向けて突出する軸部として構成してもよい。本実施形態においては、このように被駆動ピン１３ｂは羽根部材の両表面から外方（前方及び後方）に向けた軸部を有する形態として例示している。このような構成とすれば、羽根部材自体は、第１ユニット１Ａと第２ユニット１Ｂとで共通の部品を使用して構成することができるという利益がある。
【０１１９】
なお、被駆動ピン１３ｂを、上述のように羽根部材の両面からそれぞれの外方に向けて突出させる構成とした場合には、実際にカム溝１４ｂに係合する軸部と、この軸部とは反対側に突出してカム溝１４ｂと係合しない軸部とが存在することになる。
【０１２０】
詳述すると、被駆動ピン１３ｂは、一方の羽根駆動リング（例えば第１羽根駆動リング１４Ａ）のカム溝１４ｂに実際に係合する軸部と、この軸部とは反対側に突出して、他方の羽根駆動リング（例：第２羽根駆動リング１４Ｂ）の円環形状平面部１４ｇに向けて突出する軸部とが存在する。
【０１２１】
この場合において、カム溝１４ｂに係合しない側の軸部は、他方の羽根駆動リング（例：第２羽根駆動リング１４Ｂ）の円環形状平面部１４ｇに干渉してしまうことになる。そこで、本実施形態においては、被駆動ピン１３ｂの干渉を避けるために、第１羽根駆動リング１４Ａ及び第２羽根駆動リング１４Ｂの各カム溝形成面に複数の有底穴部である凹状穴部１４ｈを設けて構成されている。
【０１２２】
これら複数の凹状穴部１４ｈは、カム溝形成面において隣接するカム溝１４ｂ同士の中間領域に形成されている。これら複数の凹状穴部１４ｈは、光軸Ｏに沿う方向に深さを有し、かつカム溝１４ｂによって相対的に移動される被駆動ピン１３ｂの移動する領域をカバーする範囲に形成される。
【０１２３】
そして、本実施形態の光量調整装置１を組み立てたときには、一方の羽根駆動リング（例えば第１羽根駆動リング１４Ａ）の複数のカム溝１４ｂのそれぞれは、各対応する羽根部材を挟んで、他方の羽根駆動リング（例えば第２羽根駆動リング１４Ｂ）の複数の凹状穴部１４ｈのそれぞれが対向して配置される状態となる。
【０１２４】
一方、複数の羽根部材において、各支持孔１３ｃには、第１ケース本体１２Ａ及び第２ケース本体１２Ｂの各支軸１２ｄが貫通される。この構成により、各羽根部材は、支軸１２ｄを中心として回転自在に軸支される。
【０１２５】
そして、当該光量調整装置１を組み立てたときには、複数の羽根部材の各支持孔１３ｃには各支軸１２ｄのそれぞれが貫通される。これにより、複数の羽根部材は、光軸Ｏに平行な回転軸である支軸１２ｄ周りに回転自在に軸支される。
【０１２６】
また、この状態で、複数の羽根部材は、第１ケース本体１２Ａと第２ケース本体１２Ｂとの間に配置されている。このとき、複数の羽根部材の各被駆動ピン１３ｂは、第１羽根駆動リング１４Ａ及び第２羽根駆動リング１４Ｂの各カム溝１４ｂのそれぞれに係合される。
【０１２７】
即ち、第１羽根駆動リング１４Ａの４本のカム溝１４ｂには、第１羽根群１３Ａの４枚の羽根部材のそれぞれの被駆動ピン１３ｂが係合する。同様に、第２羽根駆動リング１４Ｂの４本のカム溝１４ｂには、第２羽根群１３Ｂに含まれる４枚の羽根部材のそれぞれの被駆動ピン１３ｂが係合する。
【０１２８】
一方、複数の羽根部材のそれぞれは、回転中心となる支持孔１３ｃに対し、  また、第１羽根駆動リング１４Ａのカム溝形成面には、さらに、第１ケース本体１２Ａ及び第２ケース本体１２Ｂの各対応する支軸１２ｄが回転自在に係合する。
【０１２９】
このような構成により、第１羽根駆動リング１４Ａ及び第２羽根駆動リング１４Ｂが対応する各駆動モータ１６の駆動力を受けて光軸Ｏ周りに回転すると、各羽根駆動リング（１４Ａ，１４Ｂ）の回転に伴って複数のカム溝１４ｂも同様に光軸Ｏ周りの同方向へと移動する。これにより、複数の羽根部材の各被駆動ピン１３ｂは、各カム溝１４ｂに沿って相対的に移動する。このとき、複数の羽根部材は支軸１２ｄ周りに回転する。したがって、複数の羽根部材は、支軸１２ｄ周りに回転しながら、光軸Ｏに直交する面内で進退し、開口１０の開口径（露光開口面積）を変化させる。
【０１３０】
なお、第１羽根駆動リング１４Ａと第２羽根駆動リング１４Ｂについては、それぞれのカム溝形成面（内面；図８，図９参照）に向かって見たとき、第１羽根駆動リング１４Ａのカム溝１４ｂの形状（図８参照）と、第２羽根駆動リング１４Ｂのカム溝１４ｂの形状（図９参照）とは互いに鏡像関係となるように形成されている。
【０１３１】
このように構成される光量調整装置１を組み立てる際には、まず、第１ユニット１Ａにおいて、第１ケース本体１２Ａの内部空間部に第１羽根駆動リング１４Ａを回動自在に収納させる。このとき、貫通溝部１２ｅには遮光羽根部１４ｅとセクタギアー１４ｄとを配置する。また、貫通溝部１２ｇにはバネ係止部１４ｆを貫通させて配置する。
【０１３２】
そして、第１ケース本体１２Ａの前面の所定の位置において、駆動モータ１６をビス１７によって固定する。このとき、ピニオンギアー１６ａをセクタギアー１４ｄに噛合させる。
【０１３３】
また、第１ケース本体１２Ａの前面の所定の位置において、位置検出センサー２０を固定する。この場合において、位置検出センサー２０は、第１ケース本体１２Ａの前面の所定の位置（凹状部）に配置する。次いで、位置検出センサー２０の上面を、取付板２１の一端を当接させ、当該取付板２１の他端をビス２２によって第１ケース本体１２Ａの前面の固定部に固定する。
【０１３４】
さらに、付勢バネ１８の一端を、第１ケース本体１２Ａの前面のバネ係止部１２ｆに係止する。付勢バネ１８の他端を、貫通溝部１２ｇから突出して配置されるバネ係止部１４ｆに係止する。
【０１３５】
第２ユニット１Ｂにおいても、上述の第１ユニット１Ａと全く同様に、第１ケース本体１２Ａと、第１羽根駆動リング１４Ａと、駆動モータ１６と、位置検出センサー２０と、付勢バネ１８とを組み付ける。
【０１３６】
そして、第１ユニット１Ａの第１羽根駆動リング１４Ａのカム溝形成面と、第２ユニット１Ｂの第２羽根駆動リング１４Ｂのカム溝形成面とが向かい合うように配置した状態で、両者（１４Ａ，１４Ｂ）間に、複数の羽根部材（８枚）を、互いに重なり合う形態で配置する。
【０１３７】
詳述すると、複数の羽根部材（８枚）は、第１羽根群１３Ａの羽根部材と、第２羽根群１３Ｂの羽根部材とが周方向に沿って交互に並ぶように配置する。
【０１３８】
ここで、第１羽根群１３Ａの羽根部材（４枚）の各支持孔１３ｃを、第１ケース本体１２Ａの対応する支軸１２ｄにそれぞれ係合させる。同時に、第１羽根群１３Ａの羽根部材の各被駆動ピン１３ｂを、第１羽根駆動リング１４Ａの対応するカム溝１４ｂにそれぞれ係合させる。
【０１３９】
同様に、第２羽根群１３Ｂの羽根部材（４枚）の各支持孔１３ｃを、第２ケース本体１２Ｂの対応する支軸１２ｄにそれぞれ係合させる。同時に、第２羽根群１３Ｂの羽根部材の各被駆動ピン１３ｂを、第２羽根駆動リング１４Ｂの対応するカム溝１４ｂにそれぞれ係合させる。
【０１４０】
このとき、全体として周方向に並べて配置される複数の羽根部材は、第１羽根駆動リング１４Ａによって駆動される第１羽根群１３Ａの羽根部材と、第２羽根駆動リング１４Ｂによって駆動される第２羽根群１３Ｂの羽根部材とが、周方向に交互に並ぶように配置する（図１０参照）。
【０１４１】
このようにして、第１ユニット１Ａと第２ユニット１Ｂとを合わせて組み付けた状態において、第１ケース本体１２Ａと第２ケース本体１２Ｂとを複数（本例では３本）のビス１９を用いて固定する。これにより、本実施形態の光量調整装置１は組み立てられる。
【０１４２】
このように構成される本実施形態の光量調整装置１において、絞り駆動制御を実行する際には、第１ユニット１Ａの駆動モータ１６と第２ユニット１Ｂの駆動モータ１６とを時間的にずらした以下のような駆動制御を行う。
【０１４３】
具体的には、例えば、制御部（ＣＰＵ１０２ａ，２０２ａ等）は、第１羽根群１３Ａ（第１羽根部材群）と第２羽根群１３Ｂ（第２羽根部材群）の一方を、光軸Ｏに対して開口が開く方向（光軸から離れる方向）へ移動させ、他方を光軸Ｏに対して開口が狭くなる方向（光軸へ近づく方向）へ移動させる駆動制御を行う。そして、この駆動制御を繰り返す。このようにすれば、駆動開始信号が出力された所定の時間以降は、開口１０の開口径（露光開口面積）が相対的に一定となるように制御されることになる。
【０１４４】
また、制御部は、第１駆動部（１６，１４Ａ）及び第２駆動部（１６，１４Ｂ）を制御して、第１羽根群１３Ａと第２羽根群１３Ｂとを光軸Ｏに対して直交する方向（光軸Ｏに垂直方向）へ同時に移動させ、両者の相対的な開口面積が一定となるようにする。
【０１４５】
そして、制御部は、第１羽根群１３Ａと第２羽根群１３Ｂとが駆動された際、当該第１羽根群１３Ａと当該第２羽根群１３Ｂとが振動によって開口面積が変化しないように、第１羽根群１３Ａと第２羽根群１３Ｂのバウンドタイミングを制御して、開口が相対的に一定となるように、２つの駆動モータ１６（第１モータ，第２モータ）の電流を制御する。
【０１４６】
図１１は、本発明の一実施形態の光量調整装置を駆動させた場合に生じる振動を示すグラフである。ここで、図１１の縦軸はＡＶ値を示し、横軸は時間を示している。なお、ＡＶ値は絞り開口径（露光開口面積）に依存する値である。
【０１４７】
図１１において、一点鎖線及び符号「ｐｒｅ．」で示すグラフは、複数の羽根部材の全てを同時に駆動させた場合に生じる振動を示している。また、同図において、点線（長）及び符号「１ｓｔ．」で示すグラフは、第１羽根群１３Ａを駆動させた場合に生じる振動を示している。同図において、点線（短）及び符号「２ｎｄ．」で示すグラフは、第２羽根群１３Ｂを駆動させた場合に生じる振動を示している。同図において、実線及び符号「ｅｘ．」で示すグラフは、上記「１ｓｔ．」グラフと上記「２ｎｄ．」グラフとを合成した場合の振動を示している。
【０１４８】
図１１に示すように、複数の羽根部材の全てを同時に駆動させた場合に生じる振動は、大きな振動を示すと共に、時間経過による減衰にも時間が必要であることがわかる（図１１の一点鎖線及び符号「ｐｒｅ．」参照）。
【０１４９】
一方、第１羽根群１３Ａを図１１の符号「Ｓ」のタイミングで駆動させ、所定の時間が経過した後の図１１の符号「Ｓ１」のタイミングで第２羽根群１３Ｂを駆動させた場合には、両者（第１羽根群１３Ａと第２羽根群１３Ｂ）の振動を合成した振動は、図１１に示すように、安定するまでの時間が短時間であることがわかる。
【０１５０】
これにより、第１羽根群１３Ａの駆動タイミングと第２羽根群１３Ｂの駆動タイミングとを時間的にずらして駆動させる制御を行った場合、第１羽根群１３Ａから発生する振動と第２羽根群１３Ｂから発生する振動とが相殺される。したがって、これにより、当該光量調整装置１における複数の羽根部材から生じる振動（即ち第１羽根群１３Ａと第２羽根群１３Ｂとのそれぞれから発生する振動を合わせた振動）は、全体として抑制されると共に、短時間で安定した状態になる（図１１の実線及び符号「ｅｘ．」参照）。
【０１５１】
以上説明したように上記一実施形態によれば、複数の絞り羽根を駆動モータを用いて駆動する光量調整装置１において、複数の羽根部材からなる一組の絞り羽根ユニット（１３Ａ，１３Ｂ）を２つの駆動モータ１６を用いて駆動して所望の開口を形成する際に、当該２つの駆動モータ１６の各駆動タイミングを制御することで、目標とする開口径を短時間で安定させる。したがって、これにより、複数の羽根部材から発生する振動を相殺することができ、結果的に、複数の羽根部材からの振動を短時間で抑止することができる。
【０１５２】
この場合における駆動タイミングの制御としては、例えば駆動開始タイミングを、２つの駆動モータ１６の間で、時間的に遅延させる等の制御である。
【０１５３】
これにより、本実施形態の光量調整装置１においては、１つの駆動モータ１６によって駆動する羽根部材の枚数を少なくすることができるので、駆動対象の重量を少なくすることができる。したがって、個々の駆動モータ１６が必要とする駆動トルクが小さくて済む。
【０１５４】
したがって、これにより、各駆動モータ１６は、より小型のモータを採用することができるので、光量調整装置１自体の小型化及び高速化を実現することができる。さらに、当該光量調整装置１を適用するレンズ鏡筒ユニットの小型化にも寄与することができる。
【０１５５】
なお、本実施形態の光量調整装置１においては、目標とする所望の絞り開口を形成するために設けられる複数の羽根部材は、全部で８枚の羽根部材によって構成される例を示している。そして、本実施形態の光量調整装置１においては、これら８枚の羽根部材について４枚ずつ２つのグループに分けて構成している。
【０１５６】
即ち、一組の絞り羽根ユニットを構成する複数の羽根部材を、２つのグループに分ける際に、１：１としている。そして、各グループを同じ構成で同じ機能を有する駆動モータ１６で駆動する構成としている。このような構成とするのが望ましいが、装置内部のレイアウトの都合等、さまざまな設計上の制約により、必ずしも、このような構成に限られることはない。
【０１５７】
例えば、複数の羽根部材の総数が８枚である場合に、第１ユニットが対応する第１羽根群を５枚の羽根部材とし、第２ユニットが対応する第２羽根群を３枚の羽根部材とするといった構成としてもよい。このように、各ユニットに対応させる羽根部材の枚数を、１：１以外で構成する場合には、駆動モータ１６についても、駆動する羽根部材の枚数に応じて異なる仕様のものを採用するようにすればよい。この場合、例えば、少ない羽根部材を駆動する側の駆動モータを小出力仕様とすることができる。したがって、装置内部の限られた空間を有効利用するために、モータ仕様やサイズを考慮する際に、より広い自由度を得ることができる。
【０１５８】
なお、本実施形態の光量調整装置１においては、さらに、２つの駆動モータ１６を個別に駆動制御することによって、ＡＶ値を一定に維持したまま、絞り開口の開口径を変化させることができる。したがって、例えば露光中に複数の羽根部材の駆動制御を行って、露光中の絞り開口の口径を変更すると、撮像結果におけるいわゆるボケ味をコントロールすることができるという効果を得られる。つまり、いままでにない特殊な描写を容易に得ることができる。
【０１５９】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０１６０】
１……光量調整装置
１Ａ……第１ユニット
１Ｂ……第２ユニット
１０……開口
１２Ａ……第１ケース本体
１２Ｂ……第２ケース本体
１２ａ……開口
１２ｂ……円環状平面部
１２ｃ……外壁部
１２ｄ……支軸
１２ｅ……貫通溝部
１２ｆ……バネ係止部
１２ｇ……貫通溝部
１３Ａ……第１羽根群
１３Ｂ……第２羽根群
１３ａ……絞り開口
１３ｂ……被駆動ピン
１３ｃ……支持孔
１４Ａ……第１羽根駆動リング
１４Ｂ……第２羽根駆動リング
１４ａ……開口
１４ｂ……カム溝
１４ｄ……セクタギアー
１４ｅ……遮光羽根部
１４ｆ……バネ係止部
１４ｇ……円環形状平面部
１４ｈ……凹状穴部
１６……駆動モータ
１６ａ……ピニオンギアー
１７，１９，２２……ビス
１８……付勢バネ
２０……位置検出センサー
２１……取付板
１００……レンズ鏡筒ユニット
１０１……レンズ鏡筒本体
１０２……レンズ基板
１０２ａ……ＣＰＵ
１０２ｂ，２０２ｂ……信号線
１０３……光学レンズ
１１０……マウント部
２００……撮像装置
２０１……ボディ
２０２……メイン基板
２０２ａ……ＣＰＵ
２０３……撮像基板
２０３ａ……撮像素子
２０４……背面表示装置
２０５……電子ビューファインダ
【図１】
2019203989.tif 000003
【図２】
2019203989.tif 000004
【図３】
2019203989.tif 000005
【図４】
2019203989.tif 000006
【図５】
2019203989.tif 000007
【図６】
2019203989.tif 000008
【図７】
2019203989.tif 000009
【図８】
2019203989.tif 000010
【図９】
2019203989.tif 000011
【図１０】
2019203989.tif 000012
【図１１】
2019203989.tif 000013